(57)【要約】【課題】画像データの配信を効率よく行うことができる画像データ配信装置、画像データ配信システムおよびプログラムを提供する。【解決手段】画像データ配信装置１０は、画像データ分離部１１と、画像データ配信部１２と、を備える。画像データ分離部１１は、一連の原稿読み取り動作により得られる画像データを、所定の条件に応じて複数の画像データに分離する。画像データ配信部１２は、分離された複数の画像データごとに配信先を決定し、決定した配信先に複数の画像データを各々配信する。【選択図】図１
2013031155.tif 000002
【特許請求の範囲】
【請求項１】
一連の原稿読み取り動作により得られる画像データを、所定の条件に応じて複数の画像データに分離する画像データ分離手段と、
分離された複数の画像データごとに配信先を決定し、決定した配信先に複数の画像データを各々配信する画像データ配信手段と、を備えることを特徴とする画像データ配信装置。
【請求項２】
前記画像データ分離手段は、一連の原稿読み取り動作により得られる画像データを、原稿を読み取った読取元別に分離することを特徴とする請求項１に記載の画像データ配信装置。
【請求項３】
分離された画像データと前記読取元を識別する読取元識別情報とを関連付ける関連付け手段をさらに備え、
前記画像データ配信手段は、前記読取元識別情報に関連付けられた画像データを、前記読取元識別情報に応じて定められた配信先に配信することを特徴とする請求項２に記載の画像データ配信装置。
【請求項４】
前記読取元識別情報と、該読取元識別情報に関連付けられた画像データの配信先との対応関係を記憶する記憶手段を備え、
前記画像データ配信手段は、前記対応関係を参照し、分離された複数の画像データを、該画像データに関連付けられた前記読取元識別情報に対応する配信先に各々配信することを特徴とする請求項３に記載の画像データ配信装置。
【請求項５】
前記画像データ配信手段は、読取元が異なる複数の画像データが１つのジョブとして読み取られた場合に、該ジョブに含まれる複数の画像データを、各画像データに関連付けられた前記読取元識別情報に対応した複数の配信先にそれぞれ配信することを特徴とする請求項４に記載の画像データ配信装置。
【請求項６】
ユーザにより指定された前記対応関係の入力を受け付ける受付手段と、
前記記憶手段に記憶されている前記対応関係を、ユーザにより指定された前記対応関係に変更する変更手段と、を備えることを特徴とする請求項４に記載の画像データ配信装置。
【請求項７】
複数の前記読取元を備え、
前記関連付け手段は、複数の前記読取元のうちの一の読取元が前記原稿を読み取った後に、該読み取りにより得られる画像データに、前記一の読取元を識別する前記読取元識別情報を付加して、前記画像データと前記読取元識別情報とを関連付けることを特徴とする請求項３に記載の画像データ配信装置。
【請求項８】
前記画像データ分離手段は、一連の原稿読み取り動作により得られる画像データを、所定ページ数ごとに分離することを特徴とする請求項１に記載の画像データ配信装置。
【請求項９】
前記画像データ分離手段は、一連の原稿読み取り動作により得られる画像データを、該画像データに含まれるキーワードの位置に基づいて分離することを特徴とする請求項１に記載の画像データ配信装置。
【請求項１０】
前記画像データ分離手段は、一連の原稿読み取り動作が、順次セットされた複数の原稿を順次読み取る動作である場合に、一連の原稿読み取り動作により得られる画像データを、個々の原稿から得られる画像データごとに分離することを特徴とする請求項１に記載の画像データ配信装置。
【請求項１１】
分離された一の画像データの少なくとも一部を、分離された他の画像データと結合する画像データ結合手段をさらに備え、
前記画像データ配信手段は、結合された画像データに対して１つの配信先を決定することを特徴とする請求項１に記載の画像データ配信装置。
【請求項１２】
前記画像データ結合手段は、ユーザの操作により指定された画像データ同士を結合することを特徴とする請求項１１に記載の画像データ配信装置。
【請求項１３】
前記画像データ結合手段は、設定された条件に適合する画像データ同士を結合することを特徴とする請求項１１に記載の画像データ配信装置。
【請求項１４】
原稿を読み取る読取装置と、コンピュータで実行されるプログラムと、を備える画像データ配信システムであって、
前記読取装置は、一連の原稿読み取り動作により得られる画像データを前記コンピュータに送り、
前記プログラムは、前記コンピュータに、
前記読取装置の一連の原稿読み取り動作により得られる画像データを、所定の条件に応じて複数の画像データに分離する機能と、
分離された複数の画像データごとに配信先を決定し、決定した配信先に複数の画像データを各々配信する機能と、を実現させることを特徴とする画像データ配信システム。
【請求項１５】
一連の原稿読み取り動作により得られる画像データを、所定の条件に応じて複数の画像データに分離する機能と、
分離された複数の画像データごとに配信先を決定し、決定した配信先に複数の画像データを各々配信する機能と、をコンピュータに実現させるためのプログラム。
【発明の詳細な説明】
【技術分野】
【０００１】
本発明は、画像データ配信装置、画像データ配信システムおよびプログラムに関する。
【背景技術】
【０００２】
従来、スキャナにより原稿を読み取ることで得られる画像データを、指定された配信先に配信する画像データ配信装置が知られている。たとえば特許文献１には、スキャナを備えた画像形成装置と配信サーバとをネットワークで接続し、配信サーバが、画像形成装置のスキャナで読み取られた原稿の画像データを、指定された配信先に配信する技術が記載されている。また、この特許文献１に記載の技術では、配信サーバが過去に配信した画像データを蓄積しておき、その一覧を画像形成装置に提示して、一覧の中から選択された画像データを配信先へと配信することで、過去に配信した画像データと同じ画像データを配信する場合の効率化を図るようにしている。
【０００３】
原稿の読み取りを行うスキャナとしては、圧板によりコンタクトガラスに圧接された原稿に対して読み取りを行う読取部（以下、「圧板読取部」という。）と、自動原稿給紙装置（ＡＤＦ：Auto  Document  Feeder）により搬送される原稿に対して読み取りを行う読取部（以下、「ＡＤＦ読取部」という。）とを備えたものが広く用いられている。この種のスキャナでは、特に、複数ページの原稿を読み取る場合や、原稿の両面の読み取りを行う場合に、ＡＤＦ読取部による読み取りが行われる。また、原稿の両面の読み取りを高速に行えるようにするために、ＡＤＦにより搬送される原稿の表面の読み取りを行うＡＤＦ読取部（以下、「ＡＤＦ表面読取部」という。）と、裏面の読み取りを行うＡＤＦ読取部（以下、「ＡＤＦ裏面読取部」という。）とを個別に設けたスキャナも知られている。
【０００４】
以上のようなスキャナでは、圧板読取部による読み取りと、ＡＤＦ表面読取部による読み取り、ＡＤＦ裏面読取部による読み取りといったように、異なる読取部を使用した一連の原稿読み取り動作を１つのジョブとして実行することも行われている。たとえば、複数枚綴りの申込書と運転免許証などの証明書からなる届出書類をスキャナで読み取る場合、申込書の表面はＡＤＦ表面読取部で読み取られ、申込書の裏面はＡＤＦ裏面読取部で読み取られ、運転免許証などの証明書は圧板読取部で読み取られることになるが、これらの一連の原稿読み取り動作は１つのジョブとして実行可能である。そして、１つのジョブで得られる画像データの配信は、一括して行うことができる。
【発明の概要】
【発明が解決しようとする課題】
【０００５】
ところで、上述のように１つのジョブとして読み取られた画像データを一括して配信する場合、読取元ごとに配信先を切り替えたいという要望もある。たとえば、上述した届出書類の例では、申込用紙の表面はＦＴＰサーバに配信し、申込用紙の裏面はメール配信サーバに配信し、免許証等の証明書はファイルサーバに配信することが、書類の管理上から望ましい場合などである。また、１つのジョブとして読み取られた画像データを、たとえば設定された条件に応じて複数の配信先に振り分けて配信したいといった要望もある。
【０００６】
しかしながら、従来の画像データ配信装置では、一連の原稿読み取り動作により得られた画像データは１まとまりのデータとして扱われ、当該画像データに対して１つの配信先しか指定することができない。したがって、１つのジョブとして読み取られた画像データを一括して配信する場合に、ユーザの要望に応じて読取元ごとに配信先を切り替えたり、複数の配信先に振り分けたりといった柔軟な対応を図ることができず、効率が悪いという問題がある。
【０００７】
本発明は、上記に鑑みてなされたものであって、画像データの配信を効率よく行うことができる画像データ配信装置、画像データ配信システムおよびプログラムを提供することを目的としている。
【課題を解決するための手段】
【０００８】
上述した課題を解決し、目的を達成するために、本発明に係る画像データ配信装置は、一連の原稿読み取り動作により得られる画像データを、所定の条件に応じて複数の画像データに分離する画像データ分離手段と、分離された複数の画像データごとに配信先を決定し、決定した配信先に複数の画像データを各々配信する画像データ配信手段と、を備えることを特徴とする。
【０００９】
また、本発明に係る画像データ配信システムは、原稿を読み取る読取装置と、コンピュータで実行されるプログラムと、を備える画像データ配信システムであって、前記読取装置は、一連の原稿読み取り動作により得られる画像データを前記コンピュータに送り、前記プログラムは、前記コンピュータに、前記読取装置の一連の原稿読み取り動作により得られる画像データを、所定の条件に応じて複数の画像データに分離する機能と、分離された複数の画像データごとに配信先を決定し、決定した配信先に複数の画像データを各々配信する機能と、を実現させることを特徴とする。
【００１０】
また、本発明に係るプログラムは、一連の原稿読み取り動作により得られる画像データを、所定の条件に応じて複数の画像データに分離する機能と、分離された複数の画像データごとに配信先を決定し、決定した配信先に複数の画像データを各々配信する機能と、をコンピュータに実現させる。
【発明の効果】
【００１１】
本発明によれば、一連の原稿読み取り動作により得られる画像データを複数の画像データに分離し、分離された画像データごとに配信先を決定して、決定した配信先に配信するので、画像データの配信を効率よく行うことができるという効果を奏する。
【図面の簡単な説明】
【００１２】
【図１】図１は、画像データ配信装置の基本構成を示すブロック図である。
【図２】図２は、画像データ配信システムの概略構成を示すシステム構成図である。
【図３】図３は、複合機の画像データ配信に関わる構成を示すブロック図である。
【図４】図４は、読取元識別情報と画像データ配信先との対応関係の一例を示す図である。
【図５】図５は、複合機の配信制御部により実行される画像データ配信処理の一連の流れを示すフローチャートである。
【図６】図６は、複合機のハードウェア構成の一例を示すブロック図である。
【図７】図７は、第１変形例の複合機の画像データ配信に関わる構成を示すブロック図である。
【図８】図８は、オペレーションパネルに表示される設定画面の一例を示す図である。
【図９】図９は、オペレーションパネルに表示される配信先指定画面の一例を示す図である。
【図１０】図１０は、第２変形例の複合機の画像データ配信に関わる構成を示すブロック図である。
【図１１】図１１は、オペレーションパネルに表示される設定画面の一例を示す図である。
【図１２】図１２は、第３変形例の複合機の画像データ配信に関わる構成を示すブロック図である。
【図１３】図１３は、オペレーションパネルに表示される設定画面の一例を示す図である。
【図１４】図１４は、オペレーションパネルに表示されるメッセージ画面の一例を示す図である。
【図１５】図１５は、第４変形例の複合機の画像データ配信に関わる構成を示すブロック図である。
【図１６】図１６は、画像データ結合部が画像データを結合する様子を模式的に示す概念図である。
【図１７】図１７は、オペレーションパネルに表示される結合指定画面の一例を示す図である。
【図１８】図１８は、第４変形例の複合機の配信制御部により実行される画像データ配信処理の一連の流れを示すフローチャートである。
【発明を実施するための形態】
【００１３】
以下に添付図面を参照して、この発明に係る画像データ配信装置、画像データ配信システムおよびプログラムの最良な実施の形態を詳細に説明する。
【００１４】
＜画像データ配信装置の概要＞
まず、図１を参照して、本実施形態に係る画像データ配信装置の概要について説明する。図１は、本実施形態に係る画像データ配信装置１０の基本構成を示すブロック図である。本実施形態に係る画像データ配信装置１０は、図１に示すように、画像データ分離部１１と、画像データ配信部１２と、を備える。
【００１５】
画像データ分離部１１は、スキャナ（読取装置）による一連の原稿読み取り動作によって得られる画像データを、所定の条件に応じて複数の画像データに分離する。ここで、所定の条件としては、たとえば、原稿を読み取った読取元別に画像データを分離するといった条件、原稿が複数ページからなる場合に所定ページ数ごとに画像データを分離するといった条件、予め登録あるいはユーザにより指定されたキーワードの位置に基づいて画像データを分離するといった条件、順次セットされた複数の原稿を順次読み取る場合に個々の原稿から得られる画像データごとに分離するといった条件などが挙げられる。
【００１６】
従来の画像データ配信装置は、一連の原稿読み取り動作によって得られる画像データを１まとまりのデータとして扱っていた。これに対して、本実施形態に係る画像データ配信装置１０は、画像データ分離部１１を備えることで、一連の原稿読み取り動作によって得られる画像データを、所定の条件に応じて複数の画像データに分離し、それぞれ個別のデータとして扱えるようになる。
【００１７】
画像データ配信部１２は、画像データ分離部１１により分離された複数の画像データごとに配信先を決定し、決定した配信先に複数の画像データを各々配信する。たとえば、画像データの配信先の候補として、配信先Ａ，配信先Ｂ，・・・，配信先Ｃが画像データ配信装置１０と通信可能に接続されている場合、画像データ配信部１２は、画像データ分離部１１により分離された各画像データごとに、配信先Ａ，配信先Ｂ，・・・，配信先Ｃのいずれに配信するかを決定する。そして、画像データ配信部１２は、画像データ分離部１１により分離された各画像データを、決定した配信先に配信する。
【００１８】
なお、画像データの配信先の候補である配信先Ａ，配信先Ｂ，・・・，配信先Ｃは、それぞれ個別の外部装置（画像データ配信装置１０の外部のサーバなど）として構成されていてもよいし、単独の外部装置における異なるデータ格納先（たとえば、外部装置内に設けられた個別のフォルダなど）として構成されていてもよい。また、画像データ配信部１２は、画像データ分離部１１により分離された複数の画像データごとに、画像データ配信装置１０内におけるデータ格納先（たとえば、画像データ配信装置１０内に設けられた個別のフォルダなど）を決定し、決定したデータ格納先に複数の画像データを各々格納することもできる。
【００１９】
本実施形態に係る画像データ配信装置１０は、たとえば、原稿を読み取るスキャナ（読取装置）の一機能、あるいはスキャナを備える画像形成装置の一機能として実現することができる。また、本実施形態に係る画像データ配信装置１０は、スキャナ、あるいはスキャナを備える画像形成装置とは別の装置（サーバコンピュータなど）として実現し、スキャナ、あるいはスキャナを備える画像形成装置と通信ネットワークを介して接続する構成とすることもできる。この場合、画像データ配信装置１０は、スキャナ、あるいはスキャナを備える画像形成装置から、通信ネットワークを介して一連の原稿読み取り動作により得られる画像データを取得する。
【００２０】
また、本実施形態に係る画像データ配信装置１０を、スキャナ、あるいはスキャナを備える画像形成装置の一機能として実現する場合、スキャナ、あるいはスキャナを備える画像形成装置の内部のコンピュータがプログラムを実行することにより、上述した画像データ分離部１１や画像データ配信部１２の機能を実現することができる。つまり、本実施形態に係る画像データ配信装置１０は、スキャナ、あるいはスキャナを備える画像形成装置の内部のコンピュータによって実行されるプログラムとして提供することができる。
【００２１】
同様に、本実施形態に係る画像データ配信装置１０を、スキャナ、あるいはスキャナを備える画像形成装置とは別のサーバコンピュータなどで実現する場合、サーバコンピュータなどがプログラムを実行することにより、上述した画像データ分離部１１や画像データ配信部１２の機能を実現することができる。つまり、本実施形態に係る画像データ配信装置１０は、サーバコンピュータなどによって実行されるプログラムとして提供することができる。
【００２２】
＜画像データ配信システム＞
以下では、本実施形態に係る画像データ配信装置１０を、スキャナを備える複合機（ＭＦＰ：Multifunction  Peripheral）の一機能として実現し、配信先ＡとしてＦＴＰサーバ、配信先ＢとしてＳＭＴＰサーバ、配信先Ｃとしてファイルサーバを用いた場合を例に挙げて、複合機を含む画像データ配信システムについて説明する。
【００２３】
図２は、本実施形態に係る複合機１を含む画像データ配信システムの概略構成を示すシステム構成図である。図２に示すように、画像データ配信システムは、複合機１と、ＦＴＰサーバ２と、ＳＭＴＰサーバ３と、ファイルサーバ４と、を備える。これら複合機１、ＦＴＰサーバ２、ＳＭＴＰサーバ３、およびファイルサーバ４は、通信ネットワーク５を介して接続されている。なお、通信ネットワーク５の形態は任意であり、たとえば、インターネット、ＬＡＮ（ローカルエリアネットワーク）などを適用できる。
【００２４】
ＦＴＰサーバ２は、ＦＴＰ（File  Transfer  Protocol）を使用してファイルの送受信を行うサーバである。ＳＭＴＰサーバ３は、ＳＭＴＰ（Simple  Mail  Transfer  Protocol）を使用して電子メールの送信を行うサーバである。ファイルサーバ４は、通信ネットワーク５上で共有するファイルを蓄積して管理するサーバである。これらＦＴＰサーバ２、ＳＭＴＰサーバ３、およびファイルサーバ４は、いずれも複合機１による画像データ配信処理によりアクセスされる。
【００２５】
＜複合機＞
次に、本実施形態に係る複合機１の具体例について説明する。図３は、本実施形態に係る複合機１の画像データ配信に関わる構成を示すブロック図である。図３に示すように、複合機１は、上述した画像データ配信装置に相当する配信制御部１０と、スキャナ２０と、オペレーションパネル３０と、を備える。
【００２６】
スキャナ２０は、圧板読取部２１、ＡＤＦ表面読取部２２、およびＡＤＦ裏面読取部２３の３つの読取部を備える。圧板読取部２１は、圧板によりコンタクトガラスに圧接された原稿に対して読み取りを行う。ＡＤＦ表面読取部２２は、ＡＤＦにより搬送される原稿の表面の読み取りを行う。ＡＤＦ裏面読取部２３は、ＡＤＦにより搬送される原稿の裏面の読み取りを行う。スキャナ２０の上記いずれかの読取部で原稿を読み取ることにより得られた画像データは、配信制御部１０に渡される。また、スキャナ２０の一連の原稿読み取り動作は、配信制御部１０により監視される。
【００２７】
オペレーションパネル３０は、複合機１に対するユーザの操作入力の受け付けを行うととともに、各種情報を表示する。オペレーションパネル３０からのユーザの入力は、スキャナ２０や配信制御部１０に通知される。
【００２８】
配信制御部１０は、関連付け部１３、画像データ分離部１１、記憶部１４、変更部１５、および画像データ配信部１２を備える。
【００２９】
関連付け部１３は、スキャナ２０が原稿を読み取ることで得られた画像データと、原稿の読取元を識別する読取元識別情報との関連付けを行う。具体的には、関連付け部１３は、たとえば、スキャナ２０により原稿の読み取りが開始されると、その読み取り動作を監視して、上記の圧板読取部２１、ＡＤＦ表面読取部２２、ＡＤＦ裏面読取部２３のいずれの読取部が原稿の読み取りを行っているかを判定する。そして、関連付け部１３は、スキャナ２０から画像データが渡されると、原稿の読み取りを行った読取部（読取元）を識別する情報として予め定めた読取元識別情報を画像データに付加することで、画像データと読取元識別情報との関連付けを行う。その後、関連付け部１３は、読取元識別情報を付加した画像データを、画像データ分離部１１に渡す。なお、本実施形態において「読取元」とは、単一の読取装置であるスキャナ２０に設けられた複数の読取部（圧板読取部２１、ＡＤＦ表面読取部２２、ＡＤＦ裏面読取部２３）のうち、原稿の読み取りを行った読取部を指す。これら複数の読取部は読み取り方式の違いにより区別される。したがって、原稿の「読取元」は原稿の「読み取り方式」と置き換えることもできる。
【００３０】
原稿の読取元の判定は、たとえば、圧板の開閉を検知するセンサの信号を入力し、原稿の読み取り前に圧板が開放され、圧板が閉じられた後に原稿の読み取りが開始された場合は、圧板読取部２１による原稿の読み取りが行われていると判定することができる。一方、圧板が開閉されることなく原稿の読み取りが開始された場合は、ＡＤＦ表面読取部２２またはＡＤＦ裏面読取部２３による原稿の読み取りが行われていると判定することができる。また、ＡＤＦ原稿台に原稿がセットされているか否かを検知するセンサの信号を入力し、ＡＤＦ原稿台に原稿がセットされている状態で原稿の読み取りが開始された場合は、ＡＤＦ表面読取部２２またはＡＤＦ裏面読取部２３による原稿の読み取りが行われていると判定し、ＡＤＦ原稿台に原稿がセットされていない状態で原稿の読み取りが開始された場合は、圧板読取部２１による原稿の読み取りが行われていると判定するようにしてもよい。
【００３１】
また、ＡＤＦ表面読取部２２による原稿の読み取りが行われているか、あるいはＡＤＦ裏面読取部２３による原稿の読み取りが行われているかは、たとえば、ユーザがオペレーションパネル３０を用いて設定した設定情報を入力し、両面読み取りを行う設定情報が含まれていれば、原稿の奇数ページの読み取り時はＡＤＦ表面読取部２２による読み取りが行われ、原稿の偶数ページの読み取り時はＡＤＦ裏面読取部２３による読み取りが行われていると判定することができる。
【００３２】
画像データ分離部１１は、スキャナ２０による一連の原稿読み取り動作により得られる画像データを、原稿を読み取った読取元別に分離する。すなわち、画像データ分離部１１は、関連付け部１３により付加された読取元識別情報が同じ画像データが１つの画像データとして扱われるように、スキャナ２０による一連の原稿読み取り動作により得られる画像データを、読取元識別情報に基づいて分離する。
【００３３】
記憶部１４は、読取元識別情報と該読取元識別情報に関連付けられた画像データの配信先との対応関係を記憶する。図４は、記憶部１４が記憶する対応関係の一例を示す図である。図４に示す対応関係の例では、読取元識別情報がＡＤＦ表面読取部２２を示す情報である場合、その読取元識別情報に関連付けられた画像データの配信先は、ＦＴＰサーバ２であることを示している。また、読取元識別情報がＡＤＦ裏面読取部２３を示す情報である場合、その読取元識別情報に関連付けられた画像データの配信先は、ＳＭＴＰサーバ３およびファイルサーバ４であることを示している。また、読取元識別情報が圧板読取部２１を示す情報である場合、その読取元識別情報に関連付けられた画像データの配信先は、ファイルサーバ４であることを示している。
【００３４】
変更部１５は、オペレーションパネル３０からのユーザの入力に応じて、記憶部１４に記憶されている読取元識別情報と該読取元識別情報に関連付けられた画像データの配信先との対応関係を変更する。具体的には、たとえば、ユーザがオペレーションパネル３０から画像データの配信先の設定変更を指示する何らかの入力を行ったときに、変更部１５は、記憶部１４に記憶されている現在の対応関係を読み出して、オペレーションパネル３０に表示させる。そして、ユーザがオペレーションパネル３０に表示された対応関係を変更する何らかの入力を行うと、変更部１５は、オペレーションパネル３０からのユーザの入力情報を取得し、ユーザの入力情報に応じて、記憶部１４に記憶されている対応関係を書き換える。これにより、読取元別の画像データの配信先をユーザが任意に変更することが可能となる。
【００３５】
画像データ配信部１２は、関連付け部１３により読取元識別情報が関連付けられて、画像データ分離部１１により読取元別に分離された画像データを、読取元識別情報に応じて定められた配信先に配信する。具体的には、画像データ配信部１２は、記憶部１４に記憶されている読取元識別情報と該読取元識別情報に関連付けられた画像データの配信先との対応関係を参照し、画像データ分離部１１によって分離されたそれぞれの画像データを、該画像データに関連付けられた読取元識別情報に対応する配信先に配信する。
【００３６】
たとえば、記憶部１４に図４に示した対応関係が記憶されている場合、画像データ配信部１２は、ＡＤＦ表面読取部２２を示す読取元識別情報に関連付けられた画像データを、ＦＴＰサーバ２に配信する。また、画像データ配信部１２は、ＡＤＦ裏面読取部２３を示す読取元識別情報に関連付けられた画像データを、ＳＭＴＰサーバ３およびファイルサーバ４に配信する。また、画像データ配信部１２は、圧板読取部２１を示す読取元識別情報に関連付けられた画像データを、ファイルサーバ４に配信する。
【００３７】
ここで、スキャナ２０の一連の原稿読み取り動作とは、スキャナ２０が１つのジョブとして実行する一連の読み取り動作をいう。スキャナ２０は、圧板読取部２１による原稿の読み取りと、ＡＤＦ表面読取部２２による原稿の読み取り、ＡＤＦ裏面読取部２３による原稿の読み取りといったように、異なる読取部を使用した一連の原稿読み取り動作を１つのジョブとして実行することができる。
【００３８】
本実施形態に係る複合機１では、スキャナ２０が上記のように異なる読取部を使用した一連の原稿読み取り動作を１つのジョブとして実行した場合、配信制御部１０の画像データ分離部１１が、スキャナ２０の原稿読み取り動作により得られる画像データを読取元別に分離し、画像データ配信部１２が、分離されたそれぞれの画像データを、各画像データに関連付けられた読取元識別情報に対応する配信先に配信する。これにより、１つのジョブに含まれる読取元が異なる複数の画像データの配信を一括して行うことが可能となる。
【００３９】
上記の関連付け部１３、画像データ分離部１１、変更部１５、および画像データ配信部１２は、たとえば、配信制御部１０が実行するプログラムにより実現される。この場合、配信制御部１０は、ハードウェア構成として、プログラムを実行するＣＰＵ、プログラムを格納するＲＯＭ、ＣＰＵのワークエリアとなるＲＡＭなどを備える。また、上記の関連付け部１３、画像データ分離部１１、変更部１５、および画像データ配信部１２の少なくとも一部を、たとえばＡＳＩＣ（Application  Specific  Integrated  Circuit）やＦＰＧＡ（Field-Programmable  Gate  Array）などの専用のハードウェアを用いて実現することも可能である。
【００４０】
また、上記の記憶部１４は、たとえば、配信制御部１０の内部に設けた不揮発性メモリなどを用いて実現することができる。また、配信制御部１０の外部の補助記憶装置に上記の対応関係を格納しておき、補助記憶装置から配信制御部１０内部のＲＡＭ上に上記の対応関係をロードすることにより、記憶部１４を実現するようにしてもよい。
【００４１】
次に、図５を参照して、本実施形態に係る複合機１による画像データ配信処理の具体例について説明する。図５は、複合機１の配信制御部１０により実行される画像データ配信処理の一連の流れを示すフローチャートである。なお、図５に示すフローチャートは、配信制御部１０の記憶部１４に図４に示した対応関係が記憶されている場合の例である。
【００４２】
ステップＳ１０１：関連付け部１３が、スキャナ２０で取得された画像データを入力し、ステップＳ１０２に進む。
【００４３】
ステップＳ１０２：関連付け部１３が、ステップＳ１０１で入力した画像データの原稿の読取元を判定し、ステップＳ１０３に進む。読取元の判定方法は上述した通りである。
【００４４】
ステップＳ１０３：関連付け部１３が、ステップＳ１０１で入力した画像データと、ステップＳ１０２で判定した読取元を示す読取元識別情報とを関連付けて、ステップＳ１０４に進む。
【００４５】
ステップＳ１０４：関連付け部１３が、すべての原稿の読み取りが終了したか否かを判定する。そして、読み取りが終了していない原稿があれば（ステップＳ１０４：Ｎｏ）ステップＳ１０１に戻って以降の処理を繰り返し、すべての原稿の読み取りが終了したら（ステップＳ１０４：Ｙｅｓ）、画像データ分離部１１が、画像データに関連付けられた読取元識別情報に基づいて、画像データを読取元別に分離し、ステップＳ１０５に進む。
【００４６】
ステップＳ１０５：画像データ配信部１２が、配信する画像データに関連付けられた読取元識別情報が圧板読取部２１を示す情報であるか否かを判定する。そして、読取元識別情報が圧板読取部２１を示す情報でなければ（ステップＳ１０５：Ｎｏ）ステップＳ１０６に進み、読取元識別情報が圧板読取部２１を示す情報であれば（ステップＳ１０５：Ｙｅｓ）ステップＳ１０７に進む。
【００４７】
ステップＳ１０６：画像データ配信部１２が、配信する画像データに関連付けられた読取元識別情報がＡＤＦ表面読取部２２を示す情報であるか否かを判定する。そして、読取元識別情報がＡＤＦ表面読取部２２を示す情報であれば（ステップＳ１０６：Ｙｅｓ）ステップＳ１０８に進み、読取元識別情報がＡＤＦ表面読取部２２を示す情報でない、つまり読取元識別情報がＡＤＦ裏面読取部２３を示す情報であれば（ステップＳ１０６：Ｎｏ）ステップＳ１０９に進む。
【００４８】
ステップＳ１０７：画像データ配信部１２が、圧板読取部２１を示す読取元識別情報に関連付けられた画像データをファイルサーバ４に配信し、ステップＳ１１０に進む。
【００４９】
ステップＳ１０８：画像データ配信部１２が、ＡＤＦ表面読取部２２を示す読取元識別情報に関連付けられた画像データをＦＴＰサーバ２に配信し、ステップＳ１１０に進む。
【００５０】
ステップＳ１０９：画像データ配信部１２が、ＡＤＦ裏面読取部２３を示す読取元識別情報に関連付けられた画像データをＳＭＴＰサーバ３およびファイルサーバ４に配信し、ステップＳ１１０に進む。
【００５１】
ステップＳ１１０：画像データ配信部１２が、すべての画像データの配信が終了したか否かを判定する。そして、配信が終了していない画像データがあれば（ステップＳ１１０：Ｎｏ）ステップＳ１０５に戻って以降の処理を繰り返し、すべての画像データの配信が終了したら（ステップＳ１１０：Ｙｅｓ）、図５のフローチャートで示す一連の画像データ配信処理が終了する。
【００５２】
以上、具体的な例を挙げながら説明したように、本実施形態に係る複合機１は、スキャナ２０の一連の原稿読み取り動作によって得られる画像データと、原稿の読取元（圧板読取部２１、ＡＤＦ表面読取部２２、およびＡＤＦ裏面読取部２３のいずれか）を識別する読取元識別情報とを関連付ける。そして、読取元識別情報に基づいて、一連の原稿読み取り動作により得られる画像データを読取元別に分離し、分離した画像データのそれぞれを、読取元識別情報に対応する配信先に配信するようにしている。したがって、本実施形態に係る複合機１によれば、読取元が異なる複数の画像データを別々の配信先に配信する場合の画像データの配信を効率よく行うことができる。
【００５３】
また、本実施形態に係る複合機１によれば、読取元識別情報と該読取元識別情報に関連付けられた画像データの配信先との対応関係を記憶部１４に記憶しておき、画像データ配信部１２が、この記憶部１４に記憶した対応関係を参照して、画像データの配信先を特定するようにしているので、読取元に対応した配信先への画像データの配信を簡便に行うことができる。
【００５４】
また、本実施形態に係る複合機１によれば、読取元が異なる複数の画像データが１つのジョブとしてスキャナ２０により読み取られた場合に、画像データ配信部１２が、該ジョブに含まれる複数の画像データを、各画像データに関連付けられた読取元識別情報に対応した複数の配信先にそれぞれ配信するようにしているので、１つのジョブに含まれる読取元が異なる複数の画像データの配信を一括して行うことが可能となる。
【００５５】
また、本実施形態に係る複合機１によれば、オペレーションパネル３０で受け付けたユーザの入力に応じて、変更部１５が記憶部１４に記憶された対応関係を変更するようにしているので、読取元ごとの画像データの配信先をユーザが任意に変更することが可能となる。
【００５６】
図６は、本実施形態に係る複合機１のハードウェア構成の一例を示すブロック図である。図６に示すように、複合機１は、コントローラ１００とエンジン部（Ｅｎｇｉｎｅ）１６０とをＰＣＩ（Peripheral  Component  Interface）バスで接続した構成となる。コントローラ１００は、複合機１全体の制御と描画、通信、オペレーションパネル３０などの操作部からの入力を制御するコントローラである。エンジン部１６０は、ＰＣＩバスに接続可能なプリンタエンジンなどである。エンジン部１６０は、たとえば、白黒プロッタ、１ドラムカラープロッタ、４ドラムカラープロッタ、スキャナ２０、ファックスユニットなどを含む。なお、エンジン部１６０には、プロッタやスキャナ２０などのいわゆるエンジン部分に加えて、誤差拡散やガンマ変換などの画像処理部分が含まれる。
【００５７】
コントローラ１００は、ＣＰＵ１０１と、ノースブリッジ（ＮＢ）１０３と、システムメモリ（ＭＥＭ−Ｐ）１０２と、サウスブリッジ（ＳＢ）１０４と、ローカルメモリ（ＭＥＭ−Ｃ）１０７と、ＡＳＩＣ１０６と、ハードディスクドライブ（ＨＤＤ）１０８とを有し、ノースブリッジ（ＮＢ）１０３とＡＳＩＣ１０６との間をＡＧＰ（Accelerated  Graphics  Port）バス１０５で接続した構成となる。また、ＭＥＭ−Ｐ１０２は、ＲＯＭ（Read  Only  Memory）１０２ａと、ＲＡＭ（Random  Access  Memory）１０２ｂと、をさらに有する。
【００５８】
ＣＰＵ１０１は、複合機１の全体制御を行うものである。ＣＰＵ１０１は、ＮＢ１０３、ＭＥＭ−Ｐ１０２およびＳＢ１０４からなるチップセットを介して、他の機器と接続される。
【００５９】
ＮＢ１０３は、ＣＰＵ１０１とＭＥＭ−Ｐ１０２、ＳＢ１０４、ＡＧＰ１０５とを接続するためのブリッジである。ＮＢ１０３は、ＭＥＭ−Ｐ１０２に対する読み書きなどを制御するメモリコントローラと、ＰＣＩマスタおよびＡＧＰターゲットとを有する。
【００６０】
ＭＥＭ−Ｐ１０２は、プログラムやデータの格納用メモリ、プログラムやデータの展開用メモリ、プリンタの描画用メモリなどとして用いるシステムメモリである。ＭＥＭ−Ｐ１０２は、ＲＯＭ１０２ａとＲＡＭ１０２ｂとからなる。ＲＯＭ１０２ａは、プログラムやデータの格納用メモリとして用いる読み出し専用のメモリであり、ＲＡＭ１０２ｂは、プログラムやデータの展開用メモリ、プリンタの描画用メモリなどとして用いる書き込みおよび読み出し可能なメモリである。
【００６１】
ＳＢ１０４は、ＮＢ１０３とＰＣＩデバイス、周辺デバイスとを接続するためのブリッジである。ＳＢ１０４は、ＰＣＩバスを介してＮＢ１０３と接続されており、このＰＣＩバスには、ネットワークインターフェース（Ｉ／Ｆ）部なども接続される。
【００６２】
ＡＳＩＣ１０６は、画像処理用のハードウェア要素を有する画像処理用途向けのＩＣ（Integrated  Circuit）である。ＡＳＩＣ１０６は、ＡＧＰ１０５、ＰＣＩバス、ＨＤＤ１０８およびＭＥＭ−Ｃ１０７をそれぞれ接続するブリッジの役割を有する。ＡＳＩＣ１０６は、ＰＣＩターゲットおよびＡＧＰマスタと、ＡＳＩＣ１０６の中核をなすアービタ（ＡＲＢ）と、ＭＥＭ−Ｃ１０７を制御するメモリコントローラと、ハードウェアロジックなどにより画像データの回転などを行う複数のＤＭＡＣ（Direct  Memory  Access  Controller）と、エンジン部１６０との間でＰＣＩバスを介したデータ転送を行うＰＣＩユニットとからなる。ＡＳＩＣ１０６には、ＰＣＩバスを介してＦＣＵ（Facsimile  Control  Unit）１３０、ＵＳＢ（Universal  Serial  Bus）１４０、ＩＥＥＥ１３９４（the  Institute  of  Electrical  and  Electronics  Engineers  1394）インターフェース１５０が接続される。オペレーションパネル３０は、ＡＳＩＣ１０６に直接接続されている。
【００６３】
ＭＥＭ−Ｃ１０７は、コピー用画像バッファ、符号バッファとして用いるローカルメモリである。ＨＤＤ（Hard  Disk  Drive）１０８は、画像データの蓄積、プログラムの蓄積、フォントデータの蓄積、フォームの蓄積を行うためのストレージである。
【００６４】
ＡＧＰ１０５は、グラフィック処理を高速化するために提案されたグラフィックスアクセラレーターカード用のバスインターフェースである。ＡＧＰ１０５は、ＭＥＭ−Ｐ１０２に高スループットで直接アクセスすることにより、グラフィックスアクセラレーターカードを高速にする。
【００６５】
本実施形態に係る複合機１では、上述したように、配信制御部１０の関連付け部１３、画像データ分離部１１、変更部１５、および画像データ配信部１２が、一例として、プログラムにより実現される。本実施形態に係る複合機１で実行されるプログラムは、たとえば、ＲＯＭ１０２ａなどに予め組み込まれて提供される。
【００６６】
また、本実施形態に係る複合機１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録して提供するように構成してもよい。また、本実施形態に係る複合機１で実行されるプログラムを、インターネットなどのネットワークに接続されたコンピュータ上に格納し、ネットワーク経由でダウンロードさせることにより提供するように構成してもよい。また、本実施形態に係る複合機１で実行されるプログラムをインターネットなどのネットワーク経由で提供または配布するように構成してもよい。
【００６７】
本実施形態に係る複合機１で実行されるプログラムは、上述した各部（関連付け部１３、画像データ分離部１１、変更部１５、および画像データ配信部１２）を含むモジュール構成となっており、実際のハードウェアとしてはＣＰＵ（プロセッサ）１０１が上記ＲＯＭ１０２ａからプログラムを読み出して実行することにより上記各部がＲＡＭ１０２ｂなどの主記憶装置上にロードされ、関連付け部１３、画像データ分離部１１、変更部１５、および画像データ配信部１２が主記憶装置上に生成されるようになっている。
【００６８】
次に、本実施形態に係る複合機１の変形例について説明する。
【００６９】
＜第１変形例＞
第１変形例の複合機は、スキャナ２０の一連の原稿読み取り動作により得られる画像データを複数の画像データに分離する条件が、上述した複合機１と異なるものである。すなわち、上述した複合機１では、スキャナ２０の一連の原稿読み取り動作により得られる画像データを読取元別に分離したが、第１変形例の複合機では、スキャナ２０が複数ページの原稿を読み取ることで得られる画像データを、所定ページ数ごとに分離する。
【００７０】
図７は、第１変形例の複合機１Ａの画像データ配信に関わる構成を示すブロック図である。図７に示すように、第１変形例の複合機１Ａは、上述した複合機１が備える配信制御部１０に代えて、配信制御部１０Ａを備える。配信制御部１０Ａは、画像データ分離部１１Ａ、画像データ配信部１２Ａ、設定部１６Ａ、および記憶部１７Ａを備える。
【００７１】
画像データ分離部１１Ａは、スキャナ２０が複数ページの原稿を読み取ることで得られる画像データを、設定部１６Ａにより設定されたページ数ごとに分離する。設定部１６Ａは、オペレーションパネル３０からのユーザの入力、あるいは記憶部１７Ａに記憶された情報に基づいて、画像データを分離する単位となるページ数を設定する。設定部１６Ａが記憶部１７Ａに記憶された情報に基づいてページ数を設定する場合、記憶部１７Ａには、予め、画像データを分離する単位となるデフォルトのページ数が記憶されている。
【００７２】
オペレーションパネル３０からのユーザの入力に基づいてページ数を設定する場合、設定部１６Ａは、原稿の読み取りを指示するスキャナボタンの押下などに応じて、たとえば図８に示すような設定画面８００をオペレーションパネル３０のタッチパネルディスプレイに表示させる。この設定画面８００には、原稿の読み取り条件を設定するための読み取り条件設定欄８０１や、原稿の読み取り開始を指示するスタートボタン８０２のほかに、ページ数単位で画像データを分離するか否かをユーザが指定するためのチェックボックス８０３が設けられている。そして、ユーザがタッチ操作などによりチェックボックス８０３にチェックを入れると、設定画面８００に、ページ数を設定するためのページ数設定欄８０４が操作可能に表示される。このページ数設定欄８０４から所望のページ数が入力され、スタートボタン８０２が押下されると、スキャナ２０による原稿の読み取りが開始されるとともに、設定部１６Ａが、ページ数設定欄８０４に入力されたページ数を、画像データを分離する単位となるページ数として設定する。
【００７３】
画像データ配信部１２Ａは、画像データ分離部１１Ａによって所定ページ数ごとに分離された画像データを、設定部１６Ａにより設定された配信先に配信する。設定部１６Ａは、オペレーションパネル３０からのユーザの入力、あるいは記憶部１７Ａに記憶された情報に基づいて、所定ページ数ごとに分離された画像データの配信先をそれぞれ設定する。設定部１６Ａが記憶部１７Ａに記憶された情報に基づいて画像データの配信先を設定する場合、記憶部１７Ａには、予め、ページ数単位で分離された画像データごとのデフォルトの配信先が記憶されている。
【００７４】
オペレーションパネル３０からのユーザの入力に基づいて画像データの配信先を設定する場合、スキャナ２０の一連の原稿読み取り動作が終了し、画像データ分離部１１Ａが画像データの分離を行うと、設定部１６Ａは、たとえば図９に示すような配信先指定画面９００をオペレーションパネル３０のタッチパネルディスプレイに表示させる。この配信先指定画面９００には、分離された個々の画像データのサムネイル９０１と、配信先の候補のアイコン９０２とが表示される。そして、ユーザが、たとえば、画像データのサムネイル９０１を所望の配信先のアイコン９０２上にドラッグアンドドロップするなど、画像データと配信先とを関連付ける所定の操作を行って、決定ボタン９０３を押下すると、設定部１６Ａが、ユーザの操作により画像データに関連付けられた配信先を、画像データの配信先として設定する。
【００７５】
このように、第１変形例の複合機１Ａでは、スキャナ２０が複数ページの原稿を読み取ることで得られる画像データを所定ページ数ごとに分離し、分離された画像データごとに配信先を決定して配信するので、ユーザの要望に柔軟に対応して、画像データの配信を効率よく行うことができる。
【００７６】
＜第２変形例＞
第２変形例の複合機は、スキャナ２０の一連の原稿読み取り動作により得られる画像データを複数の画像データに分離する条件が、上述した複合機１と異なるものである。すなわち、第２変形例の複合機では、スキャナ２０の一連の原稿読み取り動作により得られる画像データからキーワードを検出し、検出したキーワードの位置に基づいて、画像データを分離する。
【００７７】
図１０は、第２変形例の複合機１Ｂの画像データ配信に関わる構成を示すブロック図である。図１０に示すように、第２変形例の複合機１Ｂは、上述した複合機１が備える配信制御部１０に代えて、配信制御部１０Ｂを備える。配信制御部１０Ｂは、画像データ分離部１１Ｂ、画像データ配信部１２Ｂ、設定部１６Ｂ、および記憶部１７Ｂを備える。
【００７８】
画像データ分離部１１Ｂは、スキャナ２０の一連の原稿読み取り動作により得られる画像データに対して、たとえば光学文字認識（ＯＣＲ：Optical  Character  Reader）などにより、設定部１６Ｂで設定されたキーワードを画像データから検出する処理を行い、検出されたキーワードの位置に基づいて画像データを分離する。たとえば、設定部１６Ｂにより「申請書」というキーワードが設定されている場合、画像データ分離部１１Ｂは、スキャナ２０の一連の原稿読み取り動作により得られる画像データから「申請書」の文字列を検出し、「申請書」の文字列が出現する直前までの画像データと、「申請書」の文字列を先頭とする画像データとに分離する。また、設定部１６Ｂにより複数のキーワードが設定されている場合は、画像データ分離部１１Ｂは、それぞれのキーワードを用いて画像データを分離する。
【００７９】
設定部１６Ｂは、オペレーションパネル３０からのユーザの入力、あるいは記憶部１７Ｂに記憶された情報に基づいて、画像データを分離するためのキーワードを設定する。設定部１６Ｂが記憶部１７Ｂに記憶された情報に基づいてキーワードを設定する場合、記憶部１７Ｂには、予め、画像データを分離するためのデフォルトのキーワードが記憶されている。
【００８０】
オペレーションパネル３０からのユーザの入力に基づいてキーワードを設定する場合、設定部１６Ｂは、原稿の読み取りを指示するスキャナボタンの押下などに応じて、たとえば図１１に示すような設定画面１１００をオペレーションパネル３０のタッチパネルディスプレイに表示させる。この設定画面１１００には、原稿の読み取り条件を設定するための読み取り条件設定欄１１０１や、原稿の読み取り開始を指示するスタートボタン１１０２のほかに、キーワードの位置で画像データを分離するか否かをユーザが指定するためのチェックボックス１１０３が設けられている。そして、ユーザがタッチ操作などによりチェックボックス１１０３にチェックを入れると、設定画面１１００に、キーワードを入力するためのキーワード入力欄１１０４が操作可能に表示される。このキーワード入力欄１１０４から所望のキーワードが入力され、スタートボタン１１０２が押下されると、スキャナ２０による原稿の読み取りが開始されるとともに、設定部１６Ｂが、キーワード入力欄１１０４に入力されたキーワードを、画像データを分離するためのキーワードとして設定する。
【００８１】
画像データ配信部１２Ｂは、画像データ分離部１１Ｂによってキーワードの位置に基づいて分離された画像データを、設定部１６Ｂにより設定された配信先に配信する。設定部１６Ｂは、オペレーションパネル３０からのユーザの入力、あるいは記憶部１７Ｂに記憶された情報に基づいて、キーワードの位置に基づいて分離された画像データの配信先をそれぞれ設定する。設定部１６Ｂが記憶部１７Ｂに記憶された情報に基づいて画像データの配信先を設定する場合、記憶部１７Ｂには、予め、キーワードを含む画像データごとのデフォルトの配信先が記憶されている。オペレーションパネル３０からのユーザの入力に基づいて画像データの配信先を設定する場合は、設定部１６Ｂは、たとえば、第１変形例の設定部１６Ａと同様の手法で、画像データごとの配信先を設定すればよい。
【００８２】
このように、第２変形例の複合機１Ｂでは、スキャナ２０の一連の原稿読み取り動作により得られる画像データをキーワードの位置に基づいて分離し、分離された画像データごとに配信先を決定して配信するので、ユーザの要望に柔軟に対応して、画像データの配信を効率よく行うことができる。
【００８３】
＜第３変形例＞
第３変形例の複合機は、スキャナ２０の一連の原稿読み取り動作により得られる画像データを複数の画像データに分離する条件が、上述した複合機１と異なるものである。すなわち、第３変形例の複合機では、スキャナ２０が順次セットされた複数の原稿を順次読み取ることで得られる画像データを、個々の原稿から得られる画像データごとに分離する。
【００８４】
図１２は、第３変形例の複合機１Ｃの画像データ配信に関わる構成を示すブロック図である。図１２に示すように、第３変形例の複合機１Ｃは、上述した複合機１が備える配信制御部１０に代えて、配信制御部１０Ｃを備える。配信制御部１０Ｃは、画像データ分離部１１Ｃ、画像データ配信部１２Ｃ、設定部１６Ｃ、および記憶部１７Ｃを備える。
【００８５】
画像データ分離部１１Ｃは、設定部１６Ｃにより原稿単位での画像データの分離が設定されている場合に、スキャナ２０が順次セットされた複数の原稿を順次読み取ることで得られる画像データを、個々の原稿から得られる画像データごとに分離する。
【００８６】
設定部１６Ｃは、原稿の読み取りを指示するスキャナボタンの押下などに応じて、たとえば図１３に示すような設定画面１３００をオペレーションパネル３０のタッチパネルディスプレイに表示させる。この設定画面１３００には、原稿の読み取り条件を設定するための読み取り条件設定欄１３０１や、原稿の読み取り開始を指示するスタートボタン１３０２のほかに、原稿単位で画像データを分離するか否かをユーザが指定するためのチェックボックス１３０３が設けられている。そして、ユーザが読み取り条件設定欄１３０１で読み取り条件を設定し、タッチ操作などによりチェックボックス１３０３にチェックを入れ、最初の原稿をセットしてスタートボタン１３０２を押下すると、スキャナ２０による最初の原稿の読み取りが開始されるとともに、設定部１６Ｃにより、原稿単位での画像データの分離が設定される。
【００８７】
その後、スキャナ２０による最初の原稿の読み取りが終了すると、オペレーションパネル３０のタッチパネルディスプレイに表示される画面が、たとえば図１４に示すようなメッセージ画面１４００に遷移する。このメッセージ画面１４００には、次の原稿のセットを促すメッセージが表示されるとともに、次の原稿の読み取り開始を指示するスタートボタン１４０１と、原稿の読み取り終了を指示するエンドボタン１４０２とが設けられている。ユーザが次の原稿をセットしてスタートボタン１４０１を押下すると、スキャナ２０による次の原稿の読み取りが開始される。そして、次の原稿の読み取りが終了すると、再度、オペレーションパネル３０のタッチパネルディスプレイにメッセージ画面１４００が表示される。一方、エンドボタン１４０２が押下された場合、あるいは、メッセージ画面１４００を表示してからスタートボタン１４０１が押下されることなく所定時間が経過した場合は、スキャナ２０による一連の原稿読み取り動作が終了する。
【００８８】
以上のように、スキャナ２０が順次セットされた複数の原稿を順次読み取るようにした場合、設定画面１３００の読み取り条件設定欄１３０１で設定された読み取り条件が、最初の原稿だけでなく、続けてセットされた原稿の読み取りにも適用される。したがって、原稿ごとに読み取り条件を設定する必要がなく、ユーザの操作負担が軽減される。
【００８９】
スキャナ２０による原稿単位での読み取りの終了は、たとえば、圧板読取部での原稿読み取りであれば圧板が閉じられた状態で１回の走査が終了したことを検知することで判断でき、ＡＤＦ読取部での読み取りであれば自動送りする用紙がなくなったことを検知することで判断できる。スキャナ２０は、このような方法で原稿単位での読み取り終了を検知し、検知信号を画像データ分離部１１Ｃに送る。画像データ分離部１１Ｃは、たとえば、このスキャナ２０から送られる検知信号に基づいて、スキャナ２０の一連の原稿読み取り動作により得られる画像データを、個々の原稿から得られる画像データごとに分離することができる。
【００９０】
画像データ配信部１２Ｃは、画像データ分離部１１Ｃによって原稿単位で分離された画像データを、設定部１６Ｃにより設定された配信先に配信する。設定部１６Ｃは、オペレーションパネル３０からのユーザの入力、あるいは記憶部１７Ｃに記憶された情報に基づいて、原稿単位で分離された画像データの配信先をそれぞれ設定する。設定部１６Ｃが記憶部１７Ｃに記憶された情報に基づいて画像データの配信先を設定する場合、記憶部１７Ｃには、予め、原稿単位で分離された画像データごとのデフォルトの配信先が記憶されている。オペレーションパネル３０からのユーザの入力に基づいて画像データの配信先を設定する場合は、設定部１６Ｃは、たとえば、第１変形例の設定部１６Ａと同様の手法で、画像データごとの配信先を設定すればよい。
【００９１】
このように、第３変形例の複合機１Ｃでは、スキャナ２０が順次セットされた複数の原稿を順次読み取ることで得られる画像データを、個々の原稿から得られる画像データごとに分離し、分離された画像データごとに配信先を決定して配信するので、ユーザの要望に柔軟に対応して、画像データの配信を効率よく行うことができる。
【００９２】
＜第４変形例＞
第４変形例の複合機は、スキャナ２０の一連の原稿読み取り動作により得られる画像データを複数の画像データに分離した後、必要に応じて、分離された一の画像データの少なくとも一部を他の画像データと結合できるようにしたものである。
【００９３】
図１５は、第４変形例の複合機１Ｄの画像データ配信に関わる構成を示すブロック図である。図１５に示すように、第４変形例の複合機１Ｄは、上述した複合機１が備える配信制御部１０に代えて、配信制御部１０Ｄを備える。配信制御部１０Ｄは、画像データ分離部１１Ｄ、画像データ結合部１８、画像データ配信部１２Ｄ、設定部１６Ｄ、および記憶部１７Ｄを備える。
【００９４】
画像データ分離部１１Ｄは、スキャナ２０の一連の原稿読み取り動作により得られる画像データを、所定の条件に応じて複数の画像データに分離する。画像データ分離部１１Ｄが画像データを分離する条件は、上述した複合機１のように原稿の読取元別に分離するという条件であってもよいし、第１変形例の複合機１Ａのように所定ページ数ごとに分離するという条件であってもよいし、第２変形例の複合機１Ｂのようにキーワードの位置に基づいて分離するという条件であってもよいし、第３変形例の複合機１Ｃのように原稿単位で分離するという条件であってもよい。また、上記の条件を組み合わせて用いてもよい。以下では、一例として、原稿の読取元別の分離とページ数ごとの分離とを組み合わせ、画像データ分離部１１Ｄが、スキャナ２０の圧板読取部が原稿を読み取ることで得られる画像データ（以下、「圧板データ」という。）と、スキャナ２０のＡＤＦ読取部が原稿を読み取ることで得られる画像データ（以下、「ＡＤＦデータ」という。）とを分離するとともに、ＡＤＦデータを所定ページ数ごとに分離するものとして説明する。
【００９５】
画像データ結合部１８は、画像データ分離部１１Ｄにより分離された画像データを、設定部１６Ｄにより設定された結合規則に基づいて結合する。ここで、結合規則とは、分離された複数の画像データのうち、結合の対象となる画像データの指定、つまり、どの画像データとどの画像データとを結合するかといった規則と、結合の順序の指定、つまり、一方の画像データを他方の画像データの先頭に結合するか、末尾に結合するかといった規則を含む。また、同じキーワードが含まれる画像データ同士を結合するといった規則を、結合規則として定めるようにしてもよい。この場合、たとえば、個人名などをキーワードとして登録しておけば、同じ個人名を含む画像データ同士を結合して１つの画像データとして扱うことができる。
【００９６】
図１６は、画像データ結合部１８が画像データを結合する様子を模式的に示す概念図である。画像データ結合部１８は、設定部１６Ｄにより設定された結合規則に従って、たとえば図１６（ａ）に示すように、所定ページ数ごとに分離された複数のＡＤＦデータのうちの１つと圧板データとを結合して１つの画像データとすることができる。また、画像データ結合部１８は、設定部１６Ｄにより設定された結合規則に従って、所定ページ数ごとに分離された複数のＡＤＦデータのうちの２つを結合して１つの画像データとすることもできる。また、設定部１６Ｄにより同じキーワードが含まれる画像データ同士を結合するといった結合規則が設定されている場合は、画像データ結合部１８は、たとえば図１６（ｂ）に示すように、キーワードＡを含む画像データ同士を結合して１つの画像データとすることができる。
【００９７】
なお、以上は、画像データ分離部１１Ｄにより分離された画像データ同士を結合する例について説明したが、画像データ分離部１１Ｄにより分離された一の画像データの一部を、他の画像データと結合して１つの画像データとすることも可能である。たとえば、所定ページ数ごとに分離された複数のＡＤＦデータのうち、Ｎ番目のＡＤＦデータのＭページ目をＮ＋１番目のＡＤＦデータと結合し、Ｎ番目のＡＤＦデータのＭ＋１ページ目をＮ＋２番目のＡＤＦデータに結合することもできる。また、たとえば図１６（ｃ）に示すように、圧板データを所定の領域サイズごとに分離して、分離された圧板データをそれぞれＡＤＦデータと結合することもできる。
【００９８】
設定部１６Ｄは、オペレーションパネル３０からのユーザの入力、あるいは記憶部１７Ｄに記憶された情報に基づいて、画像データを結合するための結合規則を設定する。設定部１６Ｄが記憶部１７Ｄに記憶された情報に基づいて結合規則を設定する場合、記憶部１７Ｄには、予め、結合の対象となる画像データの指定や結合の順序の指定、結合に用いるキーワードなどが記憶されている。
【００９９】
オペレーションパネル３０からのユーザの入力に基づいて結合規則を設定する場合、スキャナ２０の一連の原稿読み取り動作が終了し、画像データ分離部１１Ｄが画像データの分離を行うと、設定部１６Ｄは、たとえば図１７に示すような結合指定画面１７００をオペレーションパネル３０のタッチパネルディスプレイに表示させる。この結合指定画面１７００には、分離された個々の画像データのサムネイル１７０１が表示される。そして、ユーザが、たとえば、画像データのサムネイル１７０１のうちの１つを他のサムネイル上にドラッグアンドドロップするなど、画像データ同士を結合させる所定の操作を行い、さらに結合順序を指定する所定の操作を行って、決定ボタン１７０２を押下すると、設定部１６Ｄが、ユーザの操作に応じた結合規則を設定する。なお、キーワードに基づいて画像データの結合を行う場合には、キーワード入力欄が設けられた結合指定画面をオペレーションパネル３０のタッチパネルディスプレイに表示させ、設定部１６Ｄは、このキーワード入力欄からユーザが入力したキーワードを、結合規則として設定すればよい。
【０１００】
画像データ配信部１２Ｄは、画像データ分離部１１Ｄによって分離された画像データを、設定部１６Ｄにより設定された配信先に配信する。このとき、画像データ配信部１２Ｄは、画像データ結合部１８により結合された画像データを１つの画像データとして扱い、画像データ結合部１８により結合された画像データを１つの配信先に配信する。設定部１６Ｄは、オペレーションパネル３０からのユーザの入力、あるいは記憶部１７Ｄに記憶された情報に基づいて、画像データの配信先をそれぞれ設定する。設定部１６Ｄが記憶部１７Ｄに記憶された情報に基づいて画像データの配信先を設定する場合、記憶部１７Ｄには、予め、画像データごとのデフォルトの配信先が記憶されている。オペレーションパネル３０からのユーザの入力に基づいて画像データの配信先を設定する場合は、設定部１６Ｄは、たとえば、第１変形例の設定部１６Ａと同様の手法で、画像データごとの配信先を設定すればよい。
【０１０１】
次に、図１８を参照して、第４変形例の複合機１Ｄによる画像データ配信処理の概要について説明する。図１８は、第４変形例の複合機１Ｄの配信制御部１０Ｄにより実行される画像データ配信処理の一連の流れを示すフローチャートである。
【０１０２】
ステップＳ２０１：画像データ分離部１１Ｄが、設定部１６Ｄにより画像データを分離する条件が設定されているか否かを判定する。そして、画像データを分離する条件が設定されていれば（ステップＳ２０１：Ｙｅｓ）、次のステップＳ２０２に進み、画像データを分離する条件が設定されていなければ（ステップＳ２０１：Ｎｏ）、ステップＳ２０５に進む。
【０１０３】
ステップＳ２０２：画像データ分離部１１Ｄが、スキャナ２０の一連の原稿読み取り動作により得られる画像データを、設定部１６Ｄにより設定された条件に応じて分離し、ステップＳ２０３に進む。
【０１０４】
ステップＳ２０３：画像データ結合部１８が、設定部１６Ｄにより画像データを結合する結合規則が設定されているか否かを判定する。そして、画像データを結合する結合規則が設定されていれば（ステップＳ２０３：Ｙｅｓ）、次のステップＳ２０４に進み、画像データを結合する結合規則が設定されていなければ（ステップＳ２０３：Ｎｏ）、ステップＳ２０５に進む。
【０１０５】
ステップＳ２０４：画像データ結合部１８が、画像データ分離部１１Ｄにより分離された画像データを、設定部１６Ｄにより設定された結合規則に従って結合し、ステップＳ２０５に進む。
【０１０６】
ステップＳ２０５：画像データ配信部１２Ｄが、設定部１６Ｄにより設定された配信先に画像データを配信し、図１８のフローチャートで示す一連の画像データ配信処理が終了する。
【０１０７】
以上のように、第４変形例の複合機１Ｄでは、スキャナ２０の一連の原稿読み取り動作により得られる画像データを複数の画像データに分離した後、必要に応じて、分離された一の画像データの少なくとも一部を他の画像データと結合し、画像データごとに配信先を決定して配信するので、ユーザの要望に柔軟に対応して、画像データの配信を効率よく行うことができる。
【０１０８】
以上、本発明の具体的な実施形態について説明したが、本発明は、上述した実施形態そのままに限定されるものではなく、実施段階ではその要旨を逸脱しない範囲で様々な変形や変更を加えて具体化することができる。つまり、上述した実施形態の具体的な構成や動作はあくまで一例であり、用途や目的に応じて様々な変形や変更が可能である。
【符号の説明】
【０１０９】
１  複合機
２  ＦＴＰサーバ
３  ＳＭＴＰサーバ
４  ファイルサーバ
５  通信ネットワーク
１０  配信制御部（画像データ配信装置）
１１  画像データ分離部
１２  画像データ配信部
１３  関連付け部
１４  記憶部
１５  変更部
１８  画像データ結合部
２０  スキャナ
２１  圧板読取部
２２  ＡＤＦ表面読取部
２３  ＡＤＦ裏面読取部
３０  オペレーションパネル
【先行技術文献】
【特許文献】
【０１１０】
【特許文献１】特開２０１０−２１９７００号公報
【図１】
2013031155.tif 000003
【図２】
2013031155.tif 000004
【図３】
2013031155.tif 000005
【図４】
2013031155.tif 000006
【図５】
2013031155.tif 000007
【図６】
2013031155.tif 000008
【図７】
2013031155.tif 000009
【図８】
2013031155.tif 000010
【図９】
2013031155.tif 000011
【図１０】
2013031155.tif 000012
【図１１】
2013031155.tif 000013
【図１２】
2013031155.tif 000014
【図１３】
2013031155.tif 000015
【図１４】
2013031155.tif 000016
【図１５】
2013031155.tif 000017
【図１６】
2013031155.tif 000018
【図１７】
2013031155.tif 000019
【図１８】
2013031155.tif 000020